(57)【要約】【課題】利用者がどこに移動しても、利用者の手元でカラオケ曲の試聴を行うことができるカラオケシステムを提供する。【解決手段】カラオケ曲のリクエスト等を行う無線端末装置を、音源とスピーカを備え、カラオケ装置と無線ＬＡＮ経由で通信する装置として構成する。カラオケ曲をリクエストして試聴要求をした時に、カラオケ装置から、楽曲データ中の楽音トラックの各チャンネルから重要なチャンネルを選出した試聴用楽曲データを受信して、カラオケ曲を独自にシーケンスし、スピーカから試聴用の楽音を発音する。【選択図】  図５
2006258954.tif 000002
【特許請求の範囲】
【請求項１】
互いに無線で通信するカラオケ装置と無線端末装置とを有するカラオケシステムであって、
前記カラオケ装置は、
楽音を発生するための楽曲データを記憶する記憶手段と、
楽曲データに基づきカラオケ曲の楽音を発生するカラオケ演奏手段と、
楽曲データを前記無線端末装置の試聴演奏手段向けに編集した試聴用楽曲データを生成する楽曲データ編集手段と、
試聴用楽曲データを無線端末装置に送信する本体通信手段と、
を備え、
前記無線端末装置は、
試聴用楽曲データをカラオケ装置から受信する端末通信手段と、
試聴用楽曲データに基づき前記カラオケ装置よりも少ない発音数および音色数でカラオケ曲の楽音を発生する試聴演奏手段と、
を備えた
カラオケシステム。
【請求項２】
前記無線端末装置に、楽曲データを選択する選曲操作、カラオケ装置による楽曲データの演奏を指示するリクエスト操作、無線端末装置による試聴演奏を指示する試聴操作を行うための操作部を備え、
前記端末通信手段は、前記選曲操作およびリクエスト操作が行われたとき、楽曲データの選択情報を含むリクエストメッセージをカラオケ装置に送信し、前記選曲操作および試聴操作が行われたとき楽曲データの選択情報を含む試聴メッセージを送信し、
前記本体通信手段は、前記リクエストメッセージおよび試聴メッセージを受信し、
前記カラオケ演奏手段は、前記本体通信手段が前記リクエストメッセージを受信したとき、前記選択情報に基づいて選択された楽曲データを演奏し、
前記楽曲データ編集手段は、前記本体通信手段が試聴メッセージを受信したとき、前記選択情報に基づいて選択された楽曲データを編集する
請求項１に記載のカラオケシステム。
【請求項３】
前記楽曲データ編集手段は、前記楽曲データの少なくとも主伴奏、ドラム音、およびベース音の発音をするチャンネルを選出して、試聴用楽曲データとして編集する請求項１、または請求項２に記載のカラオケシステム。
【請求項４】
前記楽曲データ編集手段は、さらに１曲分の発音時間の長いチャンネル、または音量の大きいチャンネルを選出して、試聴用楽曲データとして編集する請求項３に記載のカラオケシステム。
【請求項５】
前記楽曲データ編集手段は、楽曲データの指定する音色を試聴演奏手段が発音可能な音色に変換する処理を含む請求項１乃至請求項４のいずれかに記載のカラオケシステム。
【請求項６】
前記無線端末装置は、
映像を表示する表示手段をさらに備え、
前記制御手段は、前記カラオケ装置からカラオケ曲の歌詞データを受信し、歌詞テロップとして前記表示手段に出力する請求項１乃至請求項５のいずれかに記載のカラオケシステム。
【請求項７】
前記制御手段は、前記カラオケ装置から、映像データをさらに受信して前記歌詞テロップの背景映像として前記表示手段に出力する請求項６に記載のカラオケシステム。
【請求項８】
少ない発音数および音色数でカラオケ曲の楽音を発生する試聴演奏手段を備えた無線端末装置と無線ＬＡＮを介して通信する通信手段と、
楽音を発生するための楽曲データを記憶する記憶手段と、
楽曲データに基づきカラオケ曲の楽音を発生するカラオケ演奏手段と、
楽曲データを前記無線端末装置で演奏できるように編集した試聴用楽曲データを生成する楽曲データ編集手段と、
試聴用楽曲データを、通信手段によって前記無線端末装置に送信する通信制御手段と、
を備えたカラオケ装置。
【請求項９】
前記楽曲データ編集手段は、前記楽曲データの少なくとも主伴奏、ドラム音、およびベース音の発音をするチャンネルを選出して、試聴用楽曲データとして編集する請求項８に記載のカラオケ装置。
【請求項１０】
前記楽曲データ編集手段は、さらに１曲分の発音時間の長いチャンネル、または音量の大きいチャンネルを選出して、試聴用楽曲データとして編集する請求項９に記載のカラオケ装置。
【請求項１１】
前記楽曲データ編集手段は、楽曲データの指定する音色を試聴演奏手段が発音可能な音色に変換する処理を含む請求項８、請求項９、または請求項１０に記載のカラオケ装置。
【発明の詳細な説明】
【技術分野】
【０００１】
この発明は、カラオケ曲を利用者の手元で試聴することができるようにしたカラオケシステムおよびカラオケ装置に関する。
【背景技術】
【０００２】
従来よりカラオケ装置は、カラオケ曲の演奏がされていないとき（演奏のあい間）にリクエストの多い曲（ベスト）や新譜などの曲名をモニタに表示して、利用者がリクエストしやすいようにしている。しかし、モニタ表示するのみでは、それがどのような曲であるかはその曲を知っている者にしか分からないため、リクエストを促す効果は不十分であった。
【０００３】
そこで、カラオケ曲の一部（サビ等）について再生するものが提案されている（特許文献１を参照）。このようなカラオケ装置においては、試聴用の楽曲データを読み出して、カラオケ曲の一部を再生することにより、ユーザにリクエストを促すものである。
【０００４】
また、試聴用音声情報が記録されたＣＤ−ＲＯＭを読み取り、カラオケ曲を試聴することができるカラオケ選曲装置があった（特許文献２を参照）。このカラオケ選曲装置では、試聴用音声情報を読み取り、内蔵する音源を用いてスピーカから試聴用カラオケ曲を再生するものである。
【特許文献１】特開平９−２４４６４３号公報
【特許文献２】特開平１０−３０１５８３号公報
【発明の開示】
【発明が解決しようとする課題】
【０００５】
特許文献１に記載のカラオケ装置は、カラオケ演奏のあい間に、内部に記憶している楽曲データを読み出して、その一部を演奏するものである。この場合、カラオケ装置本体で再生するので、カラオケ演奏中に試聴することができないものであった。また、カラオケ曲の一部だけではユーザにとってリクエストしたいカラオケ曲の雰囲気がわかりにくく、試聴用としては物足りないものであった。
【０００６】
特許文献２に記載のカラオケ選曲装置は、試聴用音声情報が記録されたＣＤ−ＲＯＭを読み取り、内蔵音源とスピーカを用いて再生することが可能であり、その曲についてカラオケ装置にリクエストすることが可能である。しかし、近年のカラオケ装置はサーバ装置から楽曲データをダウンロードして短期間に更新するものであり、ＣＤ−ＲＯＭを用いて試聴用音声情報を読み取る方法では、最新の楽曲データに対応することができないという問題があった。
【０００７】
試聴用に大容量の楽曲データを通信端末装置に送信するためには通信速度が必要になり、有線ＬＡＮ等を用いたのではユーザがカラオケボックスの室内で移動する場合に、通信端末装置を持って自由に移動することができなかった。
【０００８】
この発明は、利用者がどこにいても、また、利用者が移動しても、利用者の手元で、カラオケ装置に記憶されている最新のカラオケ曲も試聴することができるカラオケシステムおよびカラオケ装置を提供することを目的とする。
【課題を解決するための手段】
【０００９】
この発明のカラオケシステムは、互いに無線で通信するカラオケ装置と無線端末装置とを有するカラオケシステムであって、前記カラオケ装置は、楽音を発生するための楽曲データを記憶する記憶手段と、楽曲データに基づきカラオケ曲の楽音を発生するカラオケ演奏手段と、楽曲データを前記無線端末装置の試聴演奏手段向けに編集した試聴用楽曲データを生成する楽曲データ編集手段と、試聴用楽曲データを無線端末装置に送信する本体通信手段と、を備え、前記無線端末装置は、指定した曲の試聴用楽曲データをカラオケ装置から受信する端末通信手段と、試聴用楽曲データに基づき前記カラオケ装置よりも少ない発音数および音色数でカラオケ曲の楽音を発生する試聴演奏手段と、を備えたことを特徴とする。
【００１０】
この発明は、さらに、前記無線端末装置に、楽曲データを選択する選曲操作、カラオケ装置による楽曲データの演奏を指示するリクエスト操作、無線端末装置による試聴演奏を指示する試聴操作を行うための操作部を備え、前記端末通信手段は、前記選曲操作およびリクエスト操作が行われたとき、楽曲データの選択情報を含むリクエストメッセージをカラオケ装置に送信し、前記選曲操作および試聴操作が行われたとき楽曲データの選択情報を含む試聴メッセージを送信し、前記本体通信手段は、前記リクエストメッセージおよび試聴メッセージを受信し、前記カラオケ演奏手段は、前記本体通信手段が前記リクエストメッセージを受信したとき、前記選択手段に基づいて選択された楽曲データを演奏し、前記楽曲データ編集手段は、前記本体通信手段が試聴メッセージを受信したとき、前記選択情報に基づいて選択された楽曲データを編集することを特徴とする。
【００１１】
この発明は、さらに、前記楽曲データ編集手段は、前記楽曲データの少なくとも主伴奏、ドラム音、およびベース音の発音をするチャンネルを選出して、試聴用楽曲データとして編集することを特徴とする。
【００１２】
この発明は、さらに、前記楽曲データ編集手段は、さらに１曲分の発音時間の長いチャンネル、または音量の大きいチャンネルを選出して、試聴用楽曲データとして編集することを特徴とする。
【００１３】
この発明は、さらに、前記楽曲データ編集手段は、楽曲データの指定する音色を試聴演奏手段が発音可能な音色に変換する処理を含むことを特徴とする。
【００１４】
この発明は、さらに、前記無線端末装置は、映像を表示する表示手段をさらに備え、前記制御手段は、前記カラオケ装置からカラオケ曲の歌詞データを受信し、歌詞テロップとして前記表示手段に出力することを特徴とする。
【００１５】
この発明は、さらに、前記制御手段が、前記カラオケ装置から、映像データをさらに受信して前記歌詞テロップの背景映像として前記表示手段に出力することを特徴とする。
【００１６】
この発明のカラオケ装置は、少ない発音数および音色数でカラオケ曲の楽音を発生する試聴演奏手段を備えた無線端末装置と無線ＬＡＮを介して通信する通信手段と、楽音を発生するための楽曲データを記憶する記憶手段と、楽曲データに基づきカラオケ曲の楽音を発生するカラオケ演奏手段と、楽曲データを前記無線端末装置で演奏できるように編集した試聴用楽曲データを生成する楽曲データ編集手段と、試聴用楽曲データを、通信手段によって前記無線端末装置に送信する通信制御手段と、を備えたことを特徴とする。
【００１７】
この発明は、さらに、前記楽曲データ編集手段は、前記楽曲データの少なくとも主伴奏、ドラム音、およびベース音の発音をするチャンネルを選出して、試聴用楽曲データとして編集することを特徴とする。
【００１８】
この発明は、さらに、前記楽曲データ編集手段は、さらに１曲分の発音時間の長いチャンネル、または音量の大きいチャンネルを選出して、試聴用楽曲データとして編集することを特徴とする。
【００１９】
この発明は、さらに、前記楽曲データ編集手段は、楽曲データの指定する音色を試聴演奏手段が発音可能な音色に変換する処理を含むことを特徴とする。
【発明の効果】
【００２０】
この発明によれば、カラオケ装置が同時発音数を減らした試聴用楽曲データを無線通信端末に送信し、これを受信した無線端末装置が独自にシーケンスして試聴用カラオケ曲を再生するため、１曲分の楽曲データであってもカラオケ装置から無線端末装置に大量のデータを転送する必要がなくなり、無線端末装置を無線化することが可能になり、装置を可搬にすることができる。
【００２１】
この発明によれば、カラオケ装置に記憶されている最新のカラオケ曲も全て試聴することが可能となり、ユーザにリクエストを促すことができる。
【発明を実施するための最良の形態】
【００２２】
図１はカラオケ店舗の機器配置を説明する図である。このカラオケ店舗には、この発明の実施形態であるカラオケ装置および無線端末装置が複数台設置されている。カラオケ店舗３には、店舗内の（有線）ＬＡＮ５を介してルータ４、管理装置６、複数台のカラオケ装置７、複数台の無線アクセスポイント８が接続されており、無線アクセスポイント８を介した無線通信によって無線端末装置９がＬＡＮ５に接続されている。
【００２３】
ルータ４および管理装置６は、カラオケ店舗の管理室内に設置される。複数台のカラオケ装置７は、それぞれ個室（カラオケボックス）に１台ずつ設置される。また、無線端末装置９は、各個室に１台ないし複数台が設置される。
【００２４】
無線端末装置９は、ユーザがカラオケ曲をリクエストするためのリクエスト機能、ユーザがカラオケ曲を簡易に試聴するための試聴機能、カラオケ装置７によるカラオケ曲の演奏中にそのカラオケ曲の歌詞を表示する歌詞表示機能、ユーザのＩＤカードを読み取ってそのユーザをサーバにログインさせるログイン機能等の機能を有している。
【００２５】
各個室に設置された無線端末装置９は、後述するペアリング操作により、その個室に設置されているカラオケ装置７と対応付けられる。無線端末装置９とカラオケ装置７とが対応付けられると、ユーザがその無線端末装置９を操作して行ったリクエストは、ＬＡＮ経由で対応づけられたカラオケ装置７に送信される。対応付けられたカラオケ装置７は、受信したリクエストのカラオケ曲を演奏する。また、ユーザがカラオケ曲を選出し、リクエストボタンに代えて、試聴ボタンをオンすると、試聴要求のメッセージがカラオケ装置７に送信される。カラオケ装置７は、この試聴要求に応じて、そのカラオケ曲を演奏するための楽曲データを編集して試聴用楽曲データを作成し、これを無線端末装置９に送信する。無線端末装置９は、この試聴用楽曲データをシーケンスしてカラオケ曲を演奏する。試聴用楽曲データは、無線端末装置９の演奏機能に合わせて、発音チャンネル数や音色数を減らす等の処理をしたデータである。
【００２６】
一方、ルータ４は、インターネット２を介してセンタ１と接続されている。センタ１は、楽曲データ、顧客データ等を蓄積記憶している。各カラオケ装置７および無線端末装置９は、ＬＡＮ５、ルータ４、およびインターネット２を介してセンタ１にアクセスし、楽曲データのダウンロードや顧客データのダウンロード（顧客のログイン）等の通信を行う。
【００２７】
管理装置６は、このカラオケ店舗３の係員が操作する端末装置であり、各カラオケ装置７（個室）の利用時間の管理や、無線端末装置９等を利用した飲食物やチケット等の注文を受け付ける。
【００２８】
図２は各個室に設置されるカラオケ装置７のブロック図である。カラオケ装置７は、装置全体の動作を制御するＣＰＵ１０と、このＣＰＵ１０に接続された各種機器で構成されている。ＣＰＵ１０には、ＨＤＤ１１、ＲＡＭ１２、音源１３、ミキサ（エフェクタ）１４、ＭＰＥＧデコーダ２０、合成回路２１、操作部２３、ＬＡＮインタフェース２４、赤外線通信部２５等が接続されている。
【００２９】
ＨＤＤ１１は、カラオケ曲を演奏するための楽曲データやモニタ２２に背景映像として表示するための映像データ等を記憶している。映像データは動画、静止画の両方を記憶している。ＲＡＭ１２には、プログラムを実行するために読み出すエリアやカラオケ曲を演奏するために楽曲データを読み出すエリアなどが設定される。
【００３０】
ＣＰＵ１０は、シーケンサ３０、背景映像再生処理部３３、無線端末制御処理部３４、楽曲データ変換処理部３５、および操作入力処理部（図示せず）等の処理部を有している。シーケンサ３０は、曲シーケンサ３１、歌詞シーケンサ３２からなっている。これらの処理部は、ＨＤＤ１１に記憶されているプログラムに基づいて、ソフトウェア的機能部として実現される。
【００３１】
曲シーケンサ３１は、ＨＤＤ１１に記憶されている楽曲データに基づいてカラオケ曲の演奏を実行するプログラムである。楽曲データは図５に示すような構成をしている。曲シーケンサ３１は、このうちの楽音トラックやガイドメロディトラック等のデータに基づいて音源１３を制御し、カラオケ曲の楽音を発生する。また、歌詞シーケンサ３２は、カラオケ曲の楽曲データに基づいてモニタ２２に歌詞テロップを表示するためのプログラムである。歌詞シーケンサ３２は、図５に示す楽曲データのうち、歌詞トラックに基づいて曲の進行に同期して歌詞の文字パターンを合成し、この文字パターンを映像信号に変換して合成回路２１に入力する。
【００３２】
音源１３は、曲シーケンサ３１の処理によってＣＰＵ１０から入力されたデータ（楽音トラックやガイドメロディトラックのノートイベントデータ）に応じて楽音信号を形成する。形成した楽音信号はミキサ１４に入力される。ミキサ１４は、音源１３が発生した複数の楽音信号、および、マイク１７−Ａ／Ｄコンバータ１８を介して入力された歌唱者の歌唱音声信号に対してエコーなどの効果を付与するとともに、これらの信号を適当なバランスでミキシングする。ミキシングされたデジタルの音声信号はサウンドシステム１５に入力される。サウンドシステム１５はＤ／Ａコンバータおよびパワーアンプを備えており、入力されたデジタル信号をアナログ信号に変換して増幅し、スピーカ１６から放音する。ミキサ１４が各音声信号に付与する効果およびミキシングのバランスはＣＰＵ１０によって制御される。
【００３３】
背景映像再生処理部３３は、上記シーケンサ３０による楽音の発生、歌詞テロップの生成と同期して、ＨＤＤ１１に記憶されている映像データ４１を読み出して背景映像を再生する。動画の映像データは、ＭＰＥＧ２形式にエンコードされている。背景映像再生処理部３３は、読み出した動画の映像データをＭＰＥＧデコーダ２０に入力する。ＭＰＥＧデコーダ２０は、入力されたＭＰＥＧデータをＮＴＳＣの映像信号に変換して合成回路２１に入力する。合成回路２１には、背景映像の映像信号以外に上記歌詞テロップの文字パターン等が入力される。合成回路２１は、背景映像の映像信号の上に歌詞テロップなどのＯＳＤを合成してモニタ２２に出力する。モニタ２２は、合成回路２１から入力された映像信号を表示する。
【００３４】
楽曲データ変換処理部３５は、図５に示す楽曲データについて、図６に示す変換処理を行い、試聴用楽曲データを作成する。変換処理は、楽音トラックのうち重要なチャンネルの選出を行う等の処理である。詳細は後述する。変換した試聴用楽曲データはＬＡＮインタフェース２４を介して無線端末装置９に送られる。
【００３５】
操作部２３は、操作パネル面に設けられた各種のキースイッチおよびこのキースイッチの操作を検出するパネルスイッチインタフェースを有している。
【００３６】
また、ＬＡＮインタフェース２４は、ＬＡＮ５を介した通信を制御するためのインタフェースである。カラオケ装置は、ＬＡＮ５を介してセンタ１、管理装置６およびペアリングされた無線端末装置９と通信する。
【００３７】
また、赤外線通信部２５は、ペアリング処理において、無線端末装置９から赤外線信号を受信する回路である。ペアリング処理については後述する。
【００３８】
カラオケ装置７の操作パネル面には、曲番号を入力するためのテンキー、曲のテンポを変更するためのテンポコントロールスイッチ、曲を早送り、巻き戻しするための早送りスイッチ、巻き戻しスイッチ、および、曲を移調するためのキーコントロールスイッチ等が設けられている。
【００３９】
また、無線端末装置９は、タッチパネル機能を有するＬＣＤディスプレイ５０（図３、図４参照）を有しており、このＬＣＤディスプレイ５０に曲番号を入力するためのテンキーや曲名から曲番号を検索するための検索画面（５０音キーを含む）等が表示される。また、曲の演奏前および演奏中には、曲のテンポを変更するためのテンポコントロールスイッチ、曲を早送り、巻き戻しするための早送りスイッチ、巻き戻しスイッチ、および、曲を移調するためのキーコントロールスイッチ等が表示される。
【００４０】
操作部２３は、パネルスイッチが操作されたことを検出して対応する操作信号をＣＰＵ１０に出力する。
【００４１】
また、無線端末装置９は、ＬＣＤディスプレイ５０（図３参照）に表示しているキースイッチの操作をタッチパネルで検出し、この操作に対応する操作信号をＬＡＮ５経由で対応する（ペアリングされた）カラオケ装置７に送信する。ＬＡＮインタフェース２４は、無線端末装置９から受信した操作信号をＣＰＵ１０に入力する。
【００４２】
ＣＰＵ１０は、操作部２３またはＬＡＮインタフェース２４から入力された操作信号に基づいて対応する処理を実行する。
【００４３】
例えば、パネルスイッチや無線端末装置９からリクエストの曲番号が入力されると、この曲番号がシーケンサ３０に入力され、各プログラムは以下の処理を実行する。
【００４４】
シーケンサ３０は、これに応じて、この曲番号で識別されるカラオケ曲の曲データをＨＤＤ１１の曲データ記憶エリア４０から読み出す。曲シーケンサ３１は曲データ中の演奏データトラック、ガイドメロディトラックなどのトラックのデータを読み出し、このデータで音源１３を制御することによってカラオケ曲の演奏音を発生させる。また、歌詞シーケンサ３２は、曲データ中の歌詞トラックのデータを読み出し、このデータに基づいて歌詞テロップの画像パターンを作成して合成回路２１に出力する。また、背景映像再生処理部３３は、シーケンサ３０からの指示に応じて所定の映像データを読み出してＭＰＥＧデコーダ２０に入力する。
【００４５】
また、パネルスイッチや無線端末装置９からテンポコントロール信号や早送り、巻き戻しの信号が入力されると、この曲番号がシーケンサ３０に入力され、演奏のテンポや歌詞表示の進行がこの信号の内容に応じて設定変更される。
【００４６】
図３は、前記無線端末装置９の外観図である。この無線端末装置９は、カラオケ曲の予約や曲のテンポ・キーをコントロールする機能を備えた所謂リモコン装置として機能するほか、カラオケ曲の試聴機能、顧客のログイン機能、各種課金清算機能、カメラによる撮影機能、歌詞表示機能等種々の機能を備えている。
【００４７】
無線端末装置９は、カラオケ店舗においては、無線ＬＡＮ端末として機能するが、後述するペアリング処理をすることにより、ペアリングで対応づけられたカラオケ装置と専ら通信する。
【００４８】
無線端末装置９は、同図に示すように、略五角形（ホームベース状）の形状をしており、中央部にＬＣＤディスプレイ５０を備えている。このＬＣＤディスプレイ５０の下方中央にカードリーダ部５２、その左右にステレオスピーカ５１が設けられている。また、ＬＣＤディスプレイ５０の上端部には、カメラ５３，ストロボフラッシュ５４が設けられている。
【００４９】
ＬＣＤディスプレイ５０は、タッチパネル機能を有している。動作モードに応じてＬＣＤディスプレイ５０には、各種のタッチキーが表示され、利用者によるタッチキーの操作をタッチパネルスイッチ６９（図４参照）が検出する。表示されるタッチキーには、曲番号を入力するためのテンキースイッチ、曲名を入力するための５０音キーボード，パソコン配列のキーボード等があり、動作モードに対応したものが表示される。
【００５０】
また、カラオケ曲の演奏中には、ＬＣＤディスプレイ５０にカラオケ曲の歌詞テロップが、カラオケ装置７によるカラオケ曲の演奏と同期して表示される。
【００５１】
カードリーダ５２には、顧客のＩＤカードがセットされる。ＩＤカードは無線通信機能を備えたＩＣカードである。カードリーダ部５２の内部には、非接触カードインタフェース６５（図４参照）のアンテナが埋め込まれている。顧客のＩＤカードがカードリーダ部５２にセットされると、非接触カードインタフェース６５が無線通信でＩＤカードと通信し、このＩＤカードに記憶されている顧客ＩＤを読み取る。無線端末装置９は、読み取ったＩＤをＬＡＮ５−（ペアリングされているカラオケ装置７）−ルータ４−インターネット２を介してセンタ１に送信する。センタ１は、無線端末装置９またはカラオケ装置７から顧客ＩＤを受信することにより、当該顧客の利用履歴を更新するとともに、当該無線端末装置９またはカラオケ装置７に対してこの顧客の顧客情報を送信する。無線端末装置９またはカラオケ装置７は、センタ１から顧客情報を受信して、たとえば、カラオケ曲のスタート時に顧客の名前を表示する等の顧客個別対応を行う。
【００５２】
この無線端末装置９はカラオケ装置７よりも簡略な音源６３（図４参照）を内蔵している。無線端末装置９のＣＰＵは、カラオケ装置７よりも少ないチャンネル数の楽音トラックで、カラオケ装置７から受信した楽音トラックをシーケンスして内蔵音源を用いてカラオケ曲の試聴演奏をする機能を備えている。この試聴演奏された楽音がステレオスピーカ５１から出力される。
【００５３】
図４は、同無線端末装置９のブロック図である。無線端末装置９を制御するＣＰＵ６０には、内部バスを介してＲＯＭ６１，ＲＡＭ６２，音源６３，非接触カードインタフェース６５，無線ＬＡＮインタフェース６６，周辺機器コントローラ６８が接続されている。
【００５４】
ＲＯＭ６１には、この無線端末装置９の動作を制御する各種プログラムが記憶されている。ＲＯＭ６１は、フラッシュメモリで構成されており、ＵＳＢインタフェースを介して接続される外部装置によってプログラムの書き換えが行われる。ＲＡＭ６２には、顧客情報等の各種データが記憶される。また、後述する試聴モードの場合には、カラオケ装置７からＬＡＮ５を介して送られてくる楽曲データを記憶する。
【００５５】
音源６３は、カラオケ装置７に内蔵されているものよりも簡略な（音色数が少ない）ものであるが、カラオケ曲の楽曲データに基づいて楽音を発生することができるものである。音源６３はカラオケ曲の演奏を行うが、同時に発音できる楽音トラック（チャンネル数）はカラオケ装置７よりも少ないものである。
【００５６】
この音源６３は、試聴モード時に使用される。試聴モードでは、ユーザによって選択されたカラオケ曲について、カラオケ装置７で主要チャンネルのみ抽出してチャンネル数を減らすとともに、音色指定を発音可能なものに変換をした試聴用楽曲データをカラオケ装置７からダウンロードし、この楽曲データを音源６３で再生する。図６（Ａ）に示すように、無線端末装置９の音源６３で同時発音できるチャンネル数は１６ｃｈであり、カラオケ装置７のＣＰＵ１０は、指定された楽曲データについて３２ｃｈの中から重要なトラックの選出をし、１６ｃｈの楽曲データとして変換する。
【００５７】
図４において、音源６３にはアンプ６４が接続されている。アンプ６４は、音源６３が生成した試聴用の楽音を増幅してステレオスピーカ５１に出力する。
【００５８】
なお、この試聴モード時に歌詞トラックのデータをダウンロードして、ＬＣＤディスプレイ５０に歌詞テロップを表示するようにもできる。カラオケ装置７は、図５に示す楽曲データのうち、歌詞トラックを抽出して試聴用楽曲データに含めて無線端末装置９に送信する。無線端末装置９は、独自のシーケンス動作によって、試聴用楽曲データの再生と同期して歌詞を表示する。さらに、試聴演奏の曲の進行に合わせて歌詞テロップ表示色がスクロールようにすることも可能である。
【００５９】
また、歌詞テロップに加えて背景映像も同時にダウンロードして表示することができる。カラオケ装置７は、ＨＤＤ１１に記憶されている映像データ４１を読み出して無線端末装置９に送信する。無線端末装置９は、上記試聴用楽曲データの再生、歌詞テロップの生成と同期して、受信した映像データを読み出して背景映像を再生する。背景映像の映像信号の上に歌詞テロップを合成してＬＣＤディスプレイ５０に表示する。
【００６０】
これらの処理は、ＲＯＭ６１に記憶されているプログラムに基づいてソフトウェアで実現される。
【００６１】
非接触カードインタフェース６５は、カードリーダ部５２にセットされた非接触媒体であるＩＤカードと通信するためのインタフェースである。この非接触カードインタフェース６５は、電磁波で非接触カードに電源を供給する機能および無線で非接触カードと通信する機能を備えている。
【００６２】
無線ＬＡＮインタフェース６６は、アンテナ６７を内蔵し、無線アクセスポイント８を介してこの無線端末装置９をＬＡＮ５に接続するためのインタフェースである。
【００６３】
周辺機器コントローラ６８には、前記ＬＣＤディスプレイ５０、タッチパネルスイッチ６９、カメラ５３、ストロボフラッシュ５４のほか、赤外線リモコン信号をカラオケ装置７に対して送信する赤外線リモコン送信部７０、他の装置と赤外線通信をするためのＩｒＤＡ７１、ＵＳＢインタフェース７２等が接続されている。
【００６４】
赤外線リモコン送信部７０は、後述のペアリング処理時に用いられる。ＵＳＢインタフェース７２は、この装置にパーソナルコンピュータ等のメンテナンス装置を接続してＲＯＭ（フラッシュメモリ）６１に記憶されているプログラム（ファームウェア）を書き換えるときに使用される。
【００６５】
図５は、ＨＤＤ１１に記憶されている楽曲データの構成を示す図である。
【００６６】
楽曲データは、同図（Ａ）左欄に示すように、ヘッダ、カラオケ曲を演奏するための楽音トラック、ガイドメロディを発生するためのガイドメロディトラック、歌詞テロップを表示するための歌詞トラック等からなっている。
【００６７】
各トラックは、ＭＩＤＩフォーマットに従って記述されている。たとえば、楽音トラックやガイドメロディトラックは、同図（Ｂ）左欄に示すように、ノートオンイベントデータ、ノートオフイベントデータなどのイベントデータと、各イベントデータの読み出しタイミングを示すタイミングデータと、発音する音色を指定するプログラムチェンジデータからなっている。ノートオンイベントデータは音高データを含み、このノートオンによって発生する楽音の音高や音量を指定する。この楽音は、対応するノートオフイベントデータが読み出されるまで継続する。
【００６８】
タイミングデータは、各イベントデータ間の時間的間隔を示すデュレーションデータや曲のスタート時刻からの絶対時間を示す絶対時間データなどで構成することができる。
【００６９】
プログラムチェンジデータは、ＭＩＤＩ音源（音源１３、音源６３）にプログラムされている音色の番号を記述したデータで構成する。この記述が読み出されることで発音する音色を指定することができる。
【００７０】
楽音トラック、ガイドメロディトラックのイベントデータは、上記のように楽音の音高、音量、オン／オフなどを示すノートイベントデータなどで構成され、このノートイベントデータを音源１３に入力することにより、音源１３はプログラムチェンジデータに記載された楽音（音色）を発音したり消音したりする。楽音トラックは、多数の楽器の楽音を同時発生するために複数トラック（チャンネル）のＭＩＤＩデータで構成されており、ガイドメロディトラックは、歌唱旋律をガイドするための単旋律のＭＩＤＩデータで構成されている。
【００７１】
楽音トラックは、図５（Ａ）右欄に示すように３２チャンネルで構成されている。各チャンネルは主伴奏、サブ伴奏、ベース音等の演奏パートによって分けられている。また、カラオケ装置７の音源１３は、同図（Ｂ）右欄に示すように７４４種類の音色を備えており、楽音トラックは、各チャンネルのプログラムチェンジデータ（音色選択データ）によって７４４種類の中から１または複数の音色を指定するように構成されている。
【００７２】
歌詞トラックは、カラオケ曲の曲名や歌詞を表示するための各種データをインプリメントしたシーケンスデータである。カラオケ装置７の歌詞シーケンサ３２は、歌詞トラックのデータを読み出し、このデータに基づいて歌詞テロップの画像パターンを作成する。また、試聴モード時には、この歌詞トラックをカラオケ装置７から無線端末装置９に送信し、無線端末装置９のＣＰＵ６０は、独自のシーケンス動作によって、歌詞トラックのデータを読み出し、このデータに基づいて歌詞テロップの画像パターンを作成する。
【００７３】
図６は、楽曲データの変換処理を説明する図である。この処理は、無線端末装置９から試聴要求が送信された場合に楽曲データ変換処理部３５が行うものである。
【００７４】
同図（Ａ）は、上述した楽音トラックのチャンネル数の変換処理を示した図である。楽曲データ変換処理部３５は、楽音トラックのうち、重要なチャンネルの選出を行う。同図（Ａ）の左欄に示すように、カラオケ装置７のＨＤＤ１１に記憶している各楽曲データの楽音トラックは、チャンネル毎に主伴奏、サブ伴奏、ベース音等の演奏パートの記載がなされている。
【００７５】
楽曲データ変換処理部３５は、各チャンネルの演奏パートを読み出して重要チャンネルを選出する。重要チャンネルは、主伴奏（メインの旋律）、ドラム、ベース等、楽曲の雰囲気を形成するために欠かせない演奏パートである。各チャンネルには演奏パートの記載がなされているので、楽曲データ変換処理部３５は重要チャンネルに該当すると判断したチャンネルを選出する。
【００７６】
また、発音時間の長いチャンネルも選択するようにする。前述のように、楽音トラックは、ノートオンイベントデータが読み出されてからノートオフイベントデータが読み出されるまで発音を継続するものである。そこで、各チャンネルについてノートオンイベントデータからノートオフイベントデータまでの間の時間を累算し、各チャンネルの発音時間の長さを計算する。発音時間の長いチャンネルから順に所定のチャンネル数を選出する。なお、所定の時間以上の発音時間を有するチャンネルをすべて選択するようにしてもよい。
【００７７】
また、音量に応じてチャンネル数を選択するようにしてもよい。ノートイベントデータには音量を示す記載がなされているので、この音量を読み取り、所定のレベル以上の音量を発音するチャンネルを選出するようにすればよい。
【００７８】
なお、カラオケ装置７は、各楽曲データで選出するべきチャンネルが記載されたデータである変換指定データをセンタ１から楽曲データとは別にダウンロードするようにしてもよい。ダウンロードした変換指定データは、ＨＤＤ１１に記憶し、変換処理を行うときに、この変換指定データの記述に従って楽曲データを変換すればよい。
【００７９】
以上のようにして、チャンネル数を選出し、無線端末装置９の同時発音数である１６チャンネルにチャンネル数を変換する。本実施形態においては、無線端末装置９のチャンネル数が１６チャンネルであるため、３２チャンネルの発音数を１６チャンネルに選出しているが、これに限るものではなく、ペアとなる無線端末装置の同時発音数に適合するようにチャンネル数を選出すればよい。カラオケ装置７は、この変換処理を行うときに、ペアとなる無線端末装置の同時発音数を問い合わせるようにしてもよい。
【００８０】
次に、図６（Ｂ）は、上述した音色の変換処理を示した図である。楽曲データ変換処理部３５は、所定の変換テーブルに従ってプログラムチェンジデータの指定音色の変換を行う。変換テーブルは、似たような発音をする音色を１種類にまとめるように規定したテーブルである。例えば同図（Ｂ）に示すように、アコースティックグランドピアノ、ブライトアコースティックピアノ、およびエレクトリックグランドピアノの音色は、ピアノの音色として１種類にまとめる。
【００８１】
カラオケ装置７の音源１３は、同図（Ｂ）左欄に示すように７４４種類の音色を備えており、楽音トラックは、各チャンネルのプログラムチェンジデータ（音色選択データ）によって７４４種類の中から１または複数の音色を指定するように構成されている。これに対し、同図（Ｂ）右欄に示すように無線端末装置９の音源６３の音色数は１２８種類である。変換テーブルは、７４４種類の音色のそれぞれについて、１２８種類のどの音色番号に該当するか記載されており、楽曲データ変換処理部３５は、この変換テーブルに従ってプログラムチェンジデータの指定音色番号の変換を行う。なお、音色数の変換においても、ペアとなる無線端末装置の音色数に適合するように変換テーブルを規定しておき、これに応じて変換すればよい。例えば、無線端末装置の音色数が６４種類である場合は、７４４種類の音色を６４種類の音色に変換する変換テーブルを記憶しておけばよい。
【００８２】
以上のようにして、ＨＤＤ１１に記憶されている楽曲データを試聴用楽曲データとして変換する。
【００８３】
図７、図８は、カラオケ装置本体および無線端末装置の動作を示すフローチャートである。
【００８４】
図７は、ペアリング処理動作を示すフローチャートである。ペアリングとは、互いにＬＡＮ５に接続される複数台のカラオケ装置７と複数台の無線端末装置９を、それぞれ個別に対応づける動作である。ただし、１台のカラオケ装置７に対して、複数台の無線端末装置９がペアリング処理を行う場合があり、この場合には、１台のカラオケ装置に対して複数台の無線端末装置９が対応づけられる。
【００８５】
以下の説明では、１台のカラオケ装置７と１台の無線端末装置９との相互動作について説明するが、１台のカラオケ装置７に複数台の無線端末装置９が対応づけられる場合には、以下の動作が各無線端末装置９ごとに実行される。
【００８６】
ペアリング処理は、無線端末装置９を個室に持ち込み、その個室に設置されているカラオケ装置７の子機として使用しようとする場合に、係員によって行われる。
【００８７】
係員が無線端末装置を個室に持ち込み、無線端末装置９の赤外線リモコン信号送信機能を用いて、自己の端末ＩＤをカラオケ装置本体に送信する（ｓ１）。端末ＩＤは、無線端末装置９のＲＯＭ（フラッシュメモリ）６２に記憶されている。カラオケ装置７は、赤外線通信部２５でこの端末ＩＤを含むメッセージを受信すると（ｓ１０）、この端末ＩＤを有する無線端末装置を検索するために、この端末ＩＤの装置を検索する旨の端末検索メッセージを作成し（ｓ１１）、この端末検索メッセージをＬＡＮ経由でブロードキャスト送信する（ｓ１２）。したがって、この端末検索メッセージは、ＬＡＮ５上に接続されている（無線アクセスポイント８を介して接続されているものを含む）全ての装置によって読み取られる。
【００８８】
なお、端末検索メッセージには、検索対象である無線端末装置の端末ＩＤとともに、送信元であるカラオケ装置の装置ＩＤも含まれている。
【００８９】
ステップＳ２で端末検索メッセージを受信した各端末装置は、このメッセージが自装置宛のものであるかを判断し（ｓ３）、自装置宛のものでなければ、このメッセージを破棄する。自装置宛のメッセージであれば、すなわち、端末検索メッセージに含まれている端末ＩＤと自己のＩＤとが一致した場合には、このメッセージは、ｓ１において、赤外線信号を送信した送信先のカラオケ装置からのメッセージであるとして、このメッセージに含まれている装置ＩＤをペアの（親機として対応する）カラオケ装置のＩＤとして記憶する（ｓ４）。この装置ＩＤは、ＲＡＭ６２に設定されている装置ＩＤ記憶エリアに記憶される。
【００９０】
そして、この装置ＩＤのカラオケ装置に対して確認メッセージを作成して（ｓ５）、ＬＡＮ経由で送信する（ｓ６）。対応するカラオケ装置７が、この確認メッセージを受信すると（ｓ１３）、この無線端末装置９の端末ＩＤをペアの（子機として対応する）無線端末装置９として記憶するとともに、この無線端末装置９に対する端末管理テーブルを作成する（ｓ１４）。端末管理テーブルは、ＨＤＤ１１に設定され、端末ＩＤを記憶するテーブルである。
【００９１】
以上のペアリング処理によって、カラオケ装置７および無線端末装置９の双方が相手装置を認識してそのＩＤを記憶することができ、以後ＬＡＮを介して相互に１対１の通信をすることができる。
【００９２】
図８は、無線端末装置９による選曲動作を示すフローチャートである。
【００９３】
無線端末装置９の選曲操作は、ＬＣＤディスプレイ５０に表示されたモード選択画面で選曲モードを選択するとともに、選曲方法を選択して行う。すなわち、曲番号を直接入力して選曲する方法、５０音タッチパネルから曲名または歌手名を入力して選曲する方法等がある。このとき、タッチパネルにはリクエストボタン、試聴ボタンが表示される。
【００９４】
なお、無線端末装置９は、この選曲に用いるために、カラオケ装置７または管理装置６から、「曲番号−曲名−歌手名−歌詞の一部」を対応づけて記憶した選曲テーブルをダウンロードして所持している。
【００９５】
上記の操作でカラオケ曲が選曲され（ｓ２０）、続いてリクエストボタンがオンされると（ｓ２１）、そのカラオケ曲の曲番号を含む選曲メッセージを作成して（ｓ２２）、対応する（ペアの）カラオケ装置７に対して送信する（ｓ２３）。この選曲メッセージの送信は、ＬＡＮ経由で行われる。また、選曲操作（ｓ２０）に続いて試聴ボタンがオンされると、ｓ４０以降の試聴動作にすすむ。いずれのボタンもオンされなければ選曲操作に戻る。
【００９６】
カラオケ装置７が、選曲メッセージを受信すると（ｓ３０）、この選曲メッセージに含まれている曲番号を読み出して、予約リストに登録する（ｓ３１）。
【００９７】
ここで、予約リストとは、無線端末装置９または装置本体のパネルスイッチから入力された曲番号を入力順に記憶しておくリストである。シーケンサ３０は、先に入力された曲番号のカラオケ曲から順次演奏する。予約リストの先頭からカラオケ曲の曲番号を読み出し（ｓ３２）、この曲番号で識別される楽曲データをＨＤＤ１１から読み出し（ｓ３３）、演奏をスタートする（ｓ３４）。
【００９８】
ｓ４０以降に示す処理は試聴モードを表したものである。試聴モードとは、無線端末装置９で選択した曲について、ユーザがタッチパネルに表示された試聴ボタンをオンする（ｓ２１）、無線端末装置９でカラオケ曲の試聴演奏するモードである。この試聴モードでカラオケ曲を演奏する場合、カラオケ装置７においては、楽曲データから楽音トラックのデータを抽出して、重要なチャンネルの選出を行い、さらに音色の変換を行った試聴用楽曲データを無線端末装置９に送信する。無線端末装置９は、カラオケ装置７から試聴用楽曲データを受信して、独自のシーケンス動作によって、試聴用楽曲データを再生して演奏を行う。
【００９９】
ユーザが試聴ボタンをオンすると、そのカラオケ曲の曲番号を含む試聴メッセージを作成する（ｓ２１→ｓ４０）。作成した試聴メッセージを対応する（ペアの）カラオケ装置７に対して送信する（ｓ４１）。この試聴メッセージの送信は、ＬＡＮ経由で行われる。このとき、この無線端末装置の同時発音数（チャンネル数）をカラオケ装置７に送信するようにしてもよい。
【０１００】
カラオケ装置７が、試聴メッセージを受信すると（ｓ５０）、この試聴メッセージに含まれている曲番号を読み出して（ｓ５１）、この曲番号で識別される楽曲データをＨＤＤ１１から読み出す（ｓ５２）。読み出した楽曲データについて、チャンネル数の選出と音色変換を行う（ｓ５３）。上述のように、重要なチャンネルを選択し、似た発音をする音色を１種類の音色に変換する。ここで、無線端末装置９からチャンネル数を受信している場合は、そのチャンネル数に適合するように選出する。変換指定データを記憶している場合は、対応する変換指定データを読み出して、この変換指定データに従って楽曲データの変換をする。なお、カラオケ装置７は、無線端末装置９にチャンネル数の問い合わせをしてもよい。変換した楽曲データである試聴用楽曲データは、無線端末装置９に送信する（ｓ５４）。
【０１０１】
無線端末装置９は、試聴用楽曲データを受信し（ｓ４２）、音源６３で独自にシーケンスして演奏を開始する（ｓ４３）。ユーザは手元でカラオケ曲を試聴することができる。この試聴演奏中にユーザがリクエストボタンをオンすると、無線端末装置９はこれを検出し（ｓ４４）、試聴演奏を途中終了する（ｓ４５）。リクエストボタンがオンされ、試聴演奏を途中終了した場合は、ｓ２２の処理にすすむ。
【０１０２】
リクエストボタンがオンされなければ、曲が終了するまでカラオケ曲の再生を継続し、リクエストを受け付ける（ｓ４６）。曲が終了した場合、選曲操作から処理を繰り返す（ｓ４６→ｓ２０）。なお、試聴演奏中にタッチパネルに試聴中止ボタンを表示し、ユーザがこの試聴中止ボタンをオンしたとき、試聴演奏を途中終了して選曲操作から処理を繰り返すようにしてもよい。
【０１０３】
なお、ステップｓ４２において、無線端末装置９は、歌詞トラックのデータを受信して、ＬＣＤディスプレイ５０に歌詞テロップを表示するようにしてもよい。この場合、カラオケ装置７は、ステップｓ５２で読み出した楽曲データから歌詞トラックを抽出して試聴用楽曲データに含めて無線端末装置９に送信する。無線端末装置９は、独自のシーケンス動作によって、試聴用楽曲データの再生と同期して歌詞を表示する。さらに、試聴演奏の曲の進行に合わせて歌詞テロップ表示色がスクロールするようにすることも可能である。
【０１０４】
また、歌詞テロップに加えて背景映像も同時にダウンロードして表示することができる。この場合、カラオケ装置７は、ステップｓ５２で楽曲データを読み出すときに、ＨＤＤ１１に記憶されている映像データも読み出してステップｓ５４で無線端末装置９に送信する。無線端末装置９は、上記試聴用楽曲データの再生、歌詞テロップの生成と同期して、受信した映像データを読み出して背景映像を再生する。背景映像の映像信号の上に歌詞テロップを合成してＬＣＤディスプレイ５０に表示する。
【図面の簡単な説明】
【０１０５】
【図１】カラオケ店舗の機器配置を説明する図
【図２】各個室に設置されるカラオケ装置のブロック図
【図３】この発明の実施形態である無線端末装置の外観図
【図４】同無線端末装置のブロック図
【図５】楽曲データの構成を示す図
【図６】楽曲データの変換処理を説明する図
【図７】ペアリング処理動作を示すフローチャート
【図８】無線端末装置による選曲動作を示すフローチャート
【符号の説明】
【０１０６】
５…ＬＡＮ
７…カラオケ装置
８…無線アクセスポイント
９…無線端末装置
【図１】
2006258954.tif 000003
【図２】
2006258954.tif 000004
【図３】
2006258954.tif 000005
【図４】
2006258954.tif 000006
【図５】
2006258954.tif 000007
【図６】
2006258954.tif 000008
【図７】
2006258954.tif 000009
【図８】
2006258954.tif 000010